(57)【要約】【課題】本発明は、ラベルを剥がす角度や動きを均一化することができ、ラベルを破れることなくきれいに剥がすことができるラベル剥がし具を提供することを課題とする。【解決手段】筒状の基体部１の一端部に、ラベル面が基体部１の軸と平行になるようにラベルを挟持するペン先部２を配設することにより、被着体から部分的に剥がしたラベルをペン先部２に挟持し、ラベルを捲りあげる方向に基体部１を回転させるだけで、ラベルをペン先部２および基体部１に巻き付けるようにして被着体から剥がすことができる。また、外力が作用しない場合にラベルを挟持する閉成状態になるようにペン先部２を構成する。【選択図】        図１
2008155331.tif 000002
【特許請求の範囲】
【請求項１】
被着体に貼付されているラベルを剥がすラベル剥がし具であって、
筒状の基体部と、
該基体部の一端部に配設され、ラベル面が前記基体部の軸と平行になるように前記ラベルを挟持するペン先部とを具備することを特徴とするラベル剥がし具。
【請求項２】
前記ペン先部は、外力が作用しない場合に前記ラベルを挟持する閉成状態であることを特徴とする請求項１記載のラベル剥がし具。
【発明の詳細な説明】
【技術分野】
【０００１】
本発明は、被着体に貼付されているラベルを剥がすために用いられるラベル剥がし具に関し、特に被着体に貼付されているラベルをきれいに剥がすことができるラベル剥がし具に関する。
【背景技術】
【０００２】
従来、被着体に貼付されているラベルを剥がす場合には、有機溶剤（ベンゼン、トルエン、キシレン等）を用いることでラベルを被着体から剥離可能な状態とした後、板状の部材を用いて、ラベルを被着体から剥がしていた（例えば、特許文献１参照）。
【０００３】
しかしながら、従来技術では、板状部材を用いてラベルを剥がす場合には、板状部材の取り扱い方法によっては、ラベルを剥がす角度や動きがばらついて、ラベルに対して無理な力が作用することで、ラベルが破れてしまい、きれいに剥がせなくなってしまうことがあるという問題点があった。
【０００４】
【特許文献１】特開平１１−１３８６６５号公報
【発明の開示】
【発明が解決しようとする課題】
【０００５】
本発明は斯かる問題点に鑑みてなされたものであり、その目的とするところは、ラベルを剥がす角度や動きを均一化することができ、ラベルを破れることなくきれいに剥がすことができるラベル剥がし具を提供する点にある。
【課題を解決するための手段】
【０００６】
本発明は上記課題を解決すべく、以下に掲げる構成とした。
請求項１記載の発明の要旨は、被着体に貼付されているラベルを剥がすラベル剥がし具であって、筒状の基体部と、該基体部の一端部に配設され、ラベル面が前記基体部の軸と平行になるように前記ラベルを挟持するペン先部とを具備することを特徴とするラベル剥がし具に存する。
また請求項２記載の発明の要旨は、前記ペン先部は、外力が作用しない場合に前記ラベルを挟持する閉成状態であることを特徴とする請求項１記載のラベル剥がし具に存する。
【発明の効果】
【０００７】
本発明のラベル剥がし具は、筒状の基体部の一端部に、ラベル面が基体部の軸と平行になるようにラベルを挟持するペン先部を配設することにより、被着体から部分的に剥がしたラベルをペン先部に挟持し、ラベルを捲りあげる方向に基体部を回転させるだけで、ラベルをペン先部および基体部に巻き付けるようにして被着体から剥がすことができるため、ラベルを剥がす角度や動きを均一化することができ、ラベルを破れることなくきれいに剥がすことができるという効果を奏する。
【０００８】
さらに、本発明のラベル剥がし具においては、外力が作用しない場合にラベルを挟持する閉成状態になるようにペン先部を構成することにより、ラベルをペン先部および基体部に巻き付けて剥がす際に、ペン先部にラベルを挟持させるための操作を必要としないため、ラベル剥がしの作業効率を向上させることができるという効果を奏する。
【発明を実施するための最良の形態】
【０００９】
以下、本発明の実施の形態を図面に基づいて詳細に説明する。
【００１０】
図１は、本発明に係るラベル剥がし具の実施の形態の構成を示す側面図であり、図２は、図１（ｂ）に示すＸ−Ｘ’断面図であり、図３は、本発明に係るラベル剥がし具の実施の形態におけるペン先部開成状態の構成を示す側面図であり、図４は、図３（ｂ）に示すＹ−Ｙ’断面図である。
【００１１】
本実施の形態のラベル剥がし具は、被着体に貼付されているラベルを剥がすために用いられるペン型の道具であり、図１を参照すると、筒状の基体部１と、基体部１の一端部に配設された略円錐状のペン先部２と、基体部１の軸を挟んで対向する周面に形成されている一対の開口１１にそれぞれ配設され、ペン先部２を開閉操作する一対の操作部３とからなる。
【００１２】
ペン先部２には、ゴムやプラスチック等の弾性材料が用いられ、図１および図２を参照すると、円錐の頂点Ａから基体部１の軸方向に分割された形状を有する一対の半円錐片２１を有し、基体部１の軸と平行な分割面２２が相対するように一対の半円錐片２１が配置されている。また、分割面２２は、頂点Ａから遠ざかる方向に延出しており、その先端部付近が連結部２３によって連結されている。なお、ペン先部２は、一体成形するように構成しても良く、複数の部位に分けて成形するにしても良い。また、図１において、（ａ）は、半円錐片２１の分割面２２と平行方向から側面図であり、（ｂ）は、半円錐片２１の分割面２２と垂直方向から側面図である。
【００１３】
ペン先部２は、外力が作用されない状態では、図１および図２に示すように、閉成状態、すなわち頂点Ａが閉じた状態になっており、基体部１の軸と平行な、相対する分割面２２によって、ラベル面が基体部１の軸と平行になるようにラベルを挟持することができるようになっている。なお、閉成状態を示す図１および図２では、説明のために相対する分割面２２間に間隙が存在するように描画されているが、ペン先部２に外力が作用されない状態で、相対する分割面２２が接触するように構成すると好適であり、相対する分割面２２間に間隙が存在する場合には、相対する分割面２２間に間隙がラベルの厚さ未満になるように設定すると良い。また、分割面２２に凸凹を設けると、ラベルを強く挟持することができ、好適である。
【００１４】
一対の操作部３は、基体部１の直径方向に貫通する軸１２に軸支されており、軸１２を挟んで反対方向に延出した作用片３１の先端が一対の半円錐片２１の分割面２２内側にそれぞれ取り付けられている。これにより、一対の操作部３が操作、すなわち一対の操作部３を互いに近づける方向（図２に矢印Ｍで示す方向）の外力が作用すると、作用片３１の先端が離れる方向（図２に矢印Ｎで示す方向）に移動され、図３および図４に示すように、作用片３１からの外力によってペン先部２が開成状態、すなわち一対の半円錐片２１が互いに遠ざかる方向に移動され、頂点Ａが開いた状態に移行する。
【００１５】
ペン先部２が開成状態で、操作部３の操作を止めると、すなわち一対の操作部３に外力が作用しなくなると、ペン先部２の復元力によって、図１および図２に示す閉成状態、すなわち頂点Ａが閉じた状態に移行する。
【００１６】
次に、本実施の形態のラベル剥がし具の使用方法について図５を参照して詳細に説明する。
図５は、本発明に係るラベル剥がし具の実施の形態の使用方法を説明するための説明図である。
【００１７】
被着体に貼付されたラベル１０を剥がす際には、まず、有機溶剤（ベンゼン、トルエン、キシレン等）を用いることでラベル１０を被着体から剥離可能な状態とし、手や板状の部材等を用いてラベル１０のエッジ部等を部分的に剥がし、図５（ａ）に示すように、操作部３を操作して開成状態にしたペン先部２の一対の半円錐片２１間に、被着体から剥がした部分のラベル１０を挿入させる。
【００１８】
次に、操作部３の操作を止めて、ペン先部２を閉成状態に移行させることにより、図５（ｂ）に示すように、ペン先部２の一対の半円錐片２１によって、被着体から剥がした部分のラベル１０を、ラベル１０と基体部１の軸とが平行になるように挟持させる。
【００１９】
次に、ラベル１０を捲りあげる方向（（図５（ｂ）に矢印Ｂで示す方向）に基体部１を回転させ、捲りあげたラベル１０をペン先部２および基体部１に巻き付けるようにしてラベル１０を被着体から剥がしていく。
【００２０】
以上説明したように、本実施の形態によれば、筒状の基体部１の一端部に、ラベル面が基体部１の軸と平行になるようにラベル１０を挟持するペン先部２を配設することにより、
被着体から部分的に剥がしたラベル１０をペン先部２に挟持し、ラベル１０を捲りあげる方向に基体部１を回転させるだけで、ラベル１０をペン先部２および基体部１に巻き付けるようにして被着体から剥がすことができるため、ラベルを剥がす角度や動きを均一化することができ、ラベルを破れることなくきれいに剥がすことができるという効果を奏する。
【００２１】
さらに、本実施の形態によれば、外力が作用しない場合にラベルを挟持する閉成状態になるようにペン先部２を構成することにより、ラベル１０をペン先部２および基体部１に巻き付けて剥がす際に、ペン先部２にラベル１０を挟持させるための操作を必要としないため、ラベル剥がしの作業効率を向上させることができるという効果を奏する。
【００２２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２３】
【図１】本発明に係るラベル剥がし具の実施の形態の構成を示す側面図である。
【図２】図１（ｂ）に示すＸ−Ｘ’断面図である。
【図３】本発明に係るラベル剥がし具の実施の形態におけるペン先部開成状態の構成を示す側面図である。
【図４】図３（ｂ）に示すＹ−Ｙ’断面図である。
【図５】本発明に係るラベル剥がし具の実施の形態の使用方法を説明するための説明図である。
【符号の説明】
【００２４】
１  基体部
２  ペン先部
３  操作部
１０  ラベル
１１  開口
１２  軸
２１  半円錐片
２２  分割面
２３  連結部
３１  作用片
【図１】
2008155331.tif 000003
【図２】
2008155331.tif 000004
【図３】
2008155331.tif 000005
【図４】
2008155331.tif 000006
【図５】
2008155331.tif 000007